(57)【特許請求の範囲】
【請求項１】
画像情報を表示する表示手段を有する表示装置本体と、壁面に取付けられる固定ヒンジと、前記表示装置本体が取り付けられる可動ヒンジと、前記可動ヒンジを前記固定ヒンジに回動可能に軸支する回動軸と、を有する壁面取付け機能を備えた薄型表示装置において、
前記表示装置本体は、ロッド状の支持脚本体に装着された装着部材を有する自立可能な支持脚を備え、前記回動軸は、前記可動ヒンジを、前記固定ヒンジに固定する固定機能を更に備え、前記固定ヒンジは、前記壁面に固着する壁面取付け部と、前記壁面に対して直角に設けられた一対のホルダ面により形成され、前記可動ヒンジが嵌装されるホルダ部とからなり、前記ホルダ面には、前記回動軸を挿通する軸孔と、一定間隔で扇状に配設された複数個の係止孔とを形成し、前記可動ヒンジは、前記ホルダ面に対向する摺動面と、前記装着部材を装着する装着部とからなり、前記摺動面には、前記軸孔に対応する位置に前記回動軸が貫通する軸貫通孔と、前記係止孔に係合するように扇状に複数個の突起とを形成するとともに、前記係止孔の内、前記可動ヒンジの移動方向の最外周にある係止孔は、前記突起が複数個同時に配設できる大きさであって、かつ、前記突起の内、少なくとも複数個は、前記最外周にある係止孔以外の係止孔に個々に配設されるように形成し、前記表示装置本体が所望の角度になるように、前記突起を前記係止孔に係合した状態で、前記回動軸により、前記可動ヒンジを前記固定ヒンジに固定するように構成したことを特徴とする壁面取付け機能を備えた薄型表示装置。
【請求項２】
画像情報を表示する表示手段を備えた表示装置本体と、壁面に取付けられる固定ヒンジと、前記表示装置本体が取り付けられる可動ヒンジと、前記可動ヒンジを前記固定ヒンジに回動可能に軸支する回動軸と、を有する壁面取付け機能を備えた薄型表示装置において、
前記表示装置本体は、前記可動ヒンジに装着される装着部材を有し、前記回動軸は、前記可動ヒンジを、前記固定ヒンジに固定する固定機能を更に備え、前記固定ヒンジは、前記壁面に固着する壁面取付け部と、前記壁面に対して直角に設けられた一対のホルダ面により形成され、前記可動ヒンジが嵌装されるホルダ部とからなり、前記ホルダ面には、前記回動軸を挿通する軸孔と、一定間隔で扇状に配設された複数個の係止孔とを形成し、前記可動ヒンジは、前記ホルダ面に対向する摺動面と、前記装着部材を装着する装着部とからなり、前記摺動面には、前記軸孔に対応する位置に前記回動軸が貫通する軸貫通孔と、前記係止孔に係合するように扇状に複数個の突起とを形成するとともに、前記係止孔の内、前記可動ヒンジの移動方向の最外周にある係止孔は、前記突起が複数個同時に配設できる大きさであって、かつ、前記突起の内、少なくとも複数個は、前記最外周にある係止孔以外の係止孔に個々に配設されるように形成し、前記表示装置本体が所望の角度になるように、前記突起を前記係止孔に係合した状態で、前記回動軸により、前記可動ヒンジを前記固定ヒンジに固定するように構成したことを特徴とする壁面取付け機能を備えた薄型表示装置。
【請求項３】
前記回動軸は、少なくとも一方の端部にネジ部を有し、当該ネジ部に蝶ナットを螺合することにより前記固定機能を奏し、前記可動ヒンジを、前記固定ヒンジに固定するようにしたことを特徴とする請求項１または請求項２に記載の壁面取付け機能を備えた薄型表示装置。
【請求項４】
前記装着部材は、前記ロッド状の支持脚本体にスライド可能に装着されていることを特徴とする請求項１に記載の壁面取付け機能を備えた薄型表示装置。
【請求項５】
前記装着部材は、抜け止め部を有し、当該装着部材を前記可動ヒンジの前記装着部に装着した後、前記抜け止め部により、当該装着部から抜けないように形成したことを特徴とする請求項１乃至請求項４のいずれかに記載の壁面取付け機能を備えた薄型表示装置。
【請求項６】
前記係止孔は、前記可動ヒンジの移動方向に直交する方向が長い長形状に形成し、かつ、前記突起の形状を、前記長形状の係止孔に係合する長形状に形成したことを特徴とする請求項１乃至請求項５のいずれかに記載の壁面取付け機能を備えた薄型表示装置。
【請求項７】
壁面に取付けられる固定ヒンジと、表示手段を有する表示装置本体が取り付けられる可動ヒンジと、前記可動ヒンジを前記固定ヒンジに回動可能に軸支する回動軸と、を有する薄型表示装置を壁面に取付ける壁面取付け装置において、
前記回動軸は、前記可動ヒンジを、前記固定ヒンジに固定する固定機能を更に備え、前記固定ヒンジは、前記壁面に固着する壁面取付け部と、前記壁面に対して直角に設けられた一対のホルダ面により形成され、前記可動ヒンジが嵌装されるホルダ部とからなり、前記ホルダ面には、前記回動軸を挿通する軸孔と、一定間隔で扇状に配設された複数個の係止孔とを形成し、前記可動ヒンジは、前記ホルダ面に対向する摺動面と、前記装着部材を装着する装着部とからなり、前記摺動面には、前記軸孔に対応する位置に前記回動軸が貫通する軸貫通孔と、前記係止孔に係合するように扇状に複数個の突起とを形成するとともに、前記係止孔の内、前記可動ヒンジの移動方向の最外周にある係止孔は、前記突起が複数個同時に配設できる大きさであって、かつ、前記突起の内、少なくとも複数個は、前記最外周にある係止孔以外の係止孔に個々に配設されるように形成し、前記表示装置本体が所望の角度になるように、前記突起を前記係止孔に係合した状態で、前記回動軸により、前記可動ヒンジを前記固定ヒンジに固定するように構成したことを特徴とする薄型表示装置を壁面に取付ける壁面取付け装置。
【請求項８】
前記回動軸は、少なくとも一方の端部にネジ部を有し、当該ネジ部に蝶ナットを螺合することにより前記固定機能を奏し、前記可動ヒンジを、前記固定ヒンジに固定するようにしたことを特徴とする請求項７に記載の薄型表示装置を壁面に取付ける壁面取付け装置。
【発明の詳細な説明】
【技術分野】
【０００１】
本発明は、薄型表示装置および薄型表示装置を壁面に取付ける壁面取付け装置に関し、特に、壁面取付け機能を、簡単な構成で、かつ、簡単な操作で、表示画面の向きを、使用者の見易い角度に調整できるようにしたものである。
【背景技術】
【０００２】
最近は、液晶ディスプレイを備えた液晶型テレビジョンやプラズマディスプレイを備えたプラズマ型テレビジョンなどの薄型表示装置が開発されている。このような薄型表示装置にあっては、一般的に本体ケースが扁平形状であることから、自立性を有していない。このため、例えば、本体ケースの背面に支持脚を設けるようにしたもの、或いは、装置全体が薄型であることから、壁面に取付けられるようにしたものがある。壁面に取付ける場合、通常、テレビ設置台に載置する場合に比べ、少し高い位置などに取付けられることが考えられる。従って、壁面に取付ける場合には、表示画面の向きが、使用者の見易い角度に調整できることが要望される。
【０００３】
従来、例えば、表示画面の向きを調整するために、固定プレートに多数の孔を一定間隔で配列形成して位置決め部とし、この位置決め部に、回転部材の突起部を嵌合させるようにしたものがある(例えば、特許文１参照）。また、表示部とともに回動する保持板に多数の取付け孔を一定間隔で配列形成し、この取付け孔に、サイドフレームの嵌合溝に２本のピンを嵌合させるようにしたものがある(例えば、特許文２参照）。
【特許文献１】実開昭６０−６８５８７号公報
【特許文献２】特開２００２−１５４３８２号公報
【発明の開示】
【発明が解決しようとする課題】
【０００４】
しかし、前述の特許文献１記載の構成では、１つの突起部を、位置決め部の１つの孔に嵌合するようにしているので、所定角度での安定性を考慮すると、突起部の大きさをある程度以上を大きくする必要があり、大きくすると、角度調整時の操作性が悪くなる。逆に、突起部の大きさを小さくすると、所定角度での安定性が悪くなる。結局、このような構成では、小型のディスプレイには、対応することができるが、薄型表示装置を壁面に角度調整可能に取付けることは、極めて困難である。
【０００５】
また、前述の特許文献２記載の構成では、２本のピンが必要であり、しかも、薄型表示装置と壁面などとの狭い空間での、ピンの抜き差しなどを行う必要があり、角度調整操作が行い難い他、振動などにより簡単にピンが抜ける危惧があるなどといった問題がある。
【０００６】
本発明は、上述した問題を解決するためになされたものであり、簡単な構成で、かつ、簡単な操作で、表示画面の向きを、使用者の見易い角度に調整できるようにした壁面取付け機能を備えた薄型表示装置および壁面取付け装置を提供することを目的とする。
【課題を解決するための手段】
【０００７】
かかる目的を達成するため、本発明では、画像情報を表示する表示手段を有する表示装置本体と、壁面に取付けられる固定ヒンジと、表示装置本体が取り付けられる可動ヒンジと、可動ヒンジを固定ヒンジに回動可能に軸支する回動軸と、を有する壁面取付け機能を備えた薄型表示装置において、表示装置本体は、ロッド状の支持脚本体に装着された装着部材を有する自立可能な支持脚を備え、回動軸は、可動ヒンジを、固定ヒンジに固定する固定機能を更に備え、固定ヒンジは、壁面に固着する壁面取付け部と、壁面に対して直角に設けられた一対のホルダ面により形成され、可動ヒンジが嵌装されるホルダ部とからなり、ホルダ面には、回動軸を挿通する軸孔と、一定間隔で扇状に配設された個の係止孔とを形成し、可動ヒンジは、ホルダ面に対向する摺動面と、装着部材を装着する装着部とからなり、摺動面には、軸孔に対応する位置に回動軸が貫通する軸貫通孔と、係止孔に係合するように扇状に複数個の突起とを形成するとともに、係止孔の内、可動ヒンジの移動方向の最外周にある係止孔は、突起が複数個同時に配設できる大きさであって、かつ、突起の内、少なくとも複数個は、最外周にある係止孔以外の係止孔に個々に配設されるように形成し、表示装置本体が所望の角度になるように、突起を係止孔に係合した状態で、回動軸により、可動ヒンジを固定ヒンジに固定する。
【０００８】
この構成によれば、可動ヒンジに取付けられた表示装置本体が所望の角度になるように、可動ヒンジに形成された複数個の突起を、固定ヒンジに形成された複数個の係止孔に係合した状態で、可動ヒンジを、固定ヒンジに回動軸により、固定すればよい。従って、可動ヒンジに形成した突起の大きさを小さくしても、所定角度で安定した状態を維持することができるので、角度調整時の操作性が向上する。また、回動軸は、固定機能を備えているので、別途、ピンなどを用いる必要がない他、可動ヒンジを固定ヒンジに確実に固定することができる。しかも、ヒンジ機構の枢軸として機能する回動軸が、固定機能を備えているので、殊更、固定のための部品を準備する必要がなく、部品点数の削減を図ることができ、その構成は、極めて簡単である。また、最外周の係止孔は、複数個の突起に対応しているので、より高角度、或いは、より細かいピッチで調整するようにしても、係止孔の数を増加させる必要がない。更に、表示装置本体は、ロッド状の支持脚本体に装着された装着部材を有する自立可能な支持脚を備えているので、使用者は、薄型表示装置の設置状況に応じて、この種装置を自立型、或いは、壁面取付け型として使用することが可能となり、都合がよい。
【０００９】
また、本発明においては、画像情報を表示する表示手段を有する表示装置本体と、壁面に取付けられる固定ヒンジと、表示装置本体が取り付けられる可動ヒンジと、可動ヒンジを固定ヒンジに回動可能に軸支する回動軸と、を有する壁面取付け機能を備えた薄型表示装置において、表示装置本体は、可動ヒンジに装着される装着部材を有し、回動軸は、可動ヒンジを、固定ヒンジに固定する固定機能を更に備え、固定ヒンジは、壁面に固着する壁面取付け部と、壁面に対して直角に設けられた一対のホルダ面により形成され、可動ヒンジが嵌装されるホルダ部とからなり、ホルダ面には、回動軸を挿通する軸孔と、一定間隔で扇状に配設された複数個の係止孔とを形成し、可動ヒンジは、ホルダ面に対向する摺動面と、装着部材を装着する装着部とからなり、摺動面には、軸孔に対応する位置に回動軸が貫通する軸貫通孔と、係止孔に係合するように扇状に複数個の突起とを形成するとともに、係止孔の内、可動ヒンジの移動方向の最外周にある係止孔は、突起が複数個同時に配設できる大きさであって、かつ、突起の内、少なくとも複数個は、最外周にある係止孔以外の係止孔に個々に配設されるように形成し、表示装置本体が所望の角度になるように、突起を係止孔に係合した状態で、回動軸により、可動ヒンジを固定ヒンジに固定する。
【００１０】
この構成によれば、可動ヒンジに取付けられた表示装置本体が所望の角度になるように、可動ヒンジに形成された複数個の突起を、固定ヒンジに形成された複数個の係止孔に係合した状態で、可動ヒンジを、固定ヒンジに回動軸により、固定すればよい。従って、可動ヒンジに形成した突起の大きさを小さくしても、所定角度で安定した状態を維持することができるので、角度調整時の操作性が向上する。また、回動軸は、固定機能を備えているので、別途、ピンなどを用いる必要がない他、可動ヒンジを固定ヒンジに確実に固定することができる。しかも、ヒンジ機構の枢軸として機能する回動軸が、固定機能を備えているので、殊更、固定のための部品を準備する必要がなく、部品点数の削減を図ることができ、その構成は、極めて簡単である。更に、最外周の係止孔は、複数個の突起に対応しているので、より高角度、或いは、より細かいピッチで調整するようにしても、係止孔の数を増加させる必要がない。
【００１１】
また、本発明においては、回動軸は、少なくとも一方の端部にネジ部を有し、当該ネジ部に蝶ナットを螺合することにより固定機能を奏し、可動ヒンジを、固定ヒンジに固定する。
【００１２】
この構成によれば、回動軸は、少なくとも一方の端部にネジ部を有し、当該ネジ部に蝶ナットを螺合することにより固定機能を奏するように形成されているので、可動ヒンジを、固定ヒンジに固定する際、特別にドライバーなどの工具を用いることなく、簡単な操作により、表示装置本体を所望の角度に保持することができ、都合がよい。
【００１３】
また、本発明においては、装着部材は、ロッド状の支持脚本体にスライド可能に装着する。この構成によれば、可動ヒンジに取付けられた表示装置本体を所望の角度に調整する際、表示装置本体を上方にスライドさせた状態で調整作業を行うことができるので、調整作業が行い易い。
【００１４】
また、本発明においては、装着部材は、抜け止め部を有し、当該装着部材を可動ヒンジの装着部に装着した後、抜け止め部により、当該装着部から抜けないように形成する。この構成によれば、装着部材は、可動ヒンジに抜け止め部により抜けないように装着されているので、仮に、下方から突き上げるような衝撃が加わっても、装着部材は、抜け止め部により可動ヒンジから、簡単に抜けることがなく、表示装置本体が落下するのを防止することができ、都合がよい。
【００１５】
また、本発明においては、係止孔は、可動ヒンジの移動方向に直交する方向が長い長形状に形成し、かつ、突起の形状を、長形状の係止孔に係合する長形状に形成する。この構成によれば、係止孔と突起との接触面積を、大きくすることができる。従って、突起の高さ方向の大きさを、殊更大きくすることなく、所定角度でより安定した状態を維持することができ、都合がよい。
【００１６】
また、本発明においては、壁面に取付けられる固定ヒンジと、表示装置本体が取り付けられる可動ヒンジと、可動ヒンジを固定ヒンジに回動可能に軸支する回動軸と、を有する薄型表示装置を壁面に取付ける壁面取付け装置において、回動軸は、可動ヒンジを、固定ヒンジに固定する固定機能を更に備え、固定ヒンジは、壁面に固着する壁面取付け部と、壁面に対して直角に設けられた一対のホルダ面により形成され、可動ヒンジが嵌装されるホルダ部とからなり、ホルダ面には、回動軸を挿通する軸孔と、一定間隔で扇状に配設された複数個の係止孔とを形成し、可動ヒンジは、ホルダ面に対向する摺動面と、装着部材を装着する装着部とからなり、摺動面には、軸孔に対応する位置に回動軸が貫通する軸貫通孔と、係止孔に係合するように扇状に複数個の突起とを形成するとともに、係止孔の内、可動ヒンジの移動方向の最外周にある係止孔は、突起が複数個同時に配設できる大きさであって、かつ、突起の内、少なくとも複数個は、最外周にある係止孔以外の係止孔に個々に配設されるように形成し、表示装置本体が所望の角度になるように、突起を係止孔に係合した状態で、回動軸により、可動ヒンジを固定ヒンジに固定する。
【００１７】
この構成によれば、可動ヒンジに取付けられた表示装置本体が所望の角度になるように、可動ヒンジに形成された複数個の突起を、固定ヒンジに形成された複数個の係止孔に係合した状態で、可動ヒンジを、固定ヒンジに回動軸により、固定すればよい。従って、可動ヒンジに形成した突起の大きさを小さくしても、所定角度で安定した状態を維持することができるので、角度調整時の操作性が向上する。また、回動軸は、固定機能を備えているので、別途、ピンなどを用いる必要がない他、可動ヒンジを固定ヒンジに確実に固定することができる。しかも、ヒンジ機構の枢軸として機能する回動軸が、固定機能を備えているので、殊更、固定のための部品を準備する必要がなく、部品点数の削減を図ることができ、その構成は、極めて簡単である。更に、最外周の係止孔は、複数個の突起に対応しているので、より高角度、或いは、より細かいピッチで調整するようにしても、係止孔の数を増加させる必要がない。
【００１８】
また、本発明においては、回動軸は、少なくとも一方の端部にネジ部を有し、当該ネジ部に蝶ナットを螺合することにより固定機能を奏し、可動ヒンジを、固定ヒンジに固定する。
【００１９】
この構成によれば、回動軸は、少なくとも一方の端部にネジ部を有し、当該ネジ部に蝶ナットを螺合することにより固定機能を奏するように形成されているので、可動ヒンジを、固定ヒンジに固定する際、特別にドライバーなどの工具を用いることなく、簡単な操作により、表示装置本体を所望の角度に保持することができ、都合がよい。
【発明の効果】
【００２０】
本発明によれば、簡単な構成で、かつ、簡単な操作で、表示画面の向きを、使用者の見易い角度に調整できる壁面取付け機能を備えた薄型表示装置および薄型表示装置を壁面に取付ける壁面取付け装置を得ることができる。
【発明を実施するための最良の形態】
【００２１】
（第１実施形態）
以下、本発明の第１実施形態を図１乃至図１４に基づいて説明する。図１は、本発明の第１実施形態に係る壁面取付け機能を備えた薄型表示装置である液晶テレビジョンの構成を示す概略斜視図、図２は、図１に液晶テレビジョンを自立型として使用した状態を示す概略側面図である。図３は、支持脚の一例を示す正面図である。図４は、壁面取付け装置の一例を示し、正立の状態を示す側面図、図５は、図４の壁面取付け装置が下向きの状態を示す側面図である。図６は、固定ヒンジの一例を示す正面図、図７は、図６に示す固定ヒンジの側面図、図８は、図７の係止孔の形状を拡大して示す拡大図である。図９は、可動ヒンジの一例を示す正面図、図１０は、図９に示す可動ヒンジの上面図、図１１は、図１０の突起部分を拡大して示す要部拡大図である。図１２は、装着部材の一例を示す正面図、図１３は、図１２に示す装着部材の上面図、図１４は、図１２に示す装着部材の側面図である。
【００２２】
図１および図２に示すように、壁面取付け機能を備えた薄型表示装置である液晶テレビジョン１は、例えば、フロントケース２１と、リアケース２２とにより分割可能な扁平状の箱型のケース２を構成している。フロントケース２１に設けられた開口２３には、ケース２の内部に収納された表示手段である液晶モジュール３の表示面３１臨んでいる。また、ケース２内には、周知のように、図示しない制御手段やチューナーなどの各種付属品などが収納され、これらにより表示装置本体１０が構成されている。リアケース２２には、自立型可能なように支持脚４が設けられている。図３に示すように、支持脚４は、例えば、その基部４１がリアケース２２に設けられた取付け台２３に横軸４２を介して取付けら、支持脚４は、リアケース２２に沿う格納位置と、図２に示すように、リアケース２２の後方に広げられた支持位置との間で、横軸４２を枢軸として変位可能となっている。また、支持脚４の自由端には、ロッド状の支持脚本体４３に、弾力性を備えた、例えば、筒状のゴムなどからなる滑り止め４４を嵌合装着してなる着座部４５を備えている。
【００２３】
かかる構成により、図２に示すように、支持脚４をリアケース２２の後方に広げて、その着座部４５を、ケース２の下端が載置されている載置台Ｓに載せ掛けることにより、表示装置本体１０を、載置台Ｓの上に自立させ、液晶テレビジョン１を、自立型として使用することができる。従って、この状態で、使用者は、液晶モジュール３の表示面３１に表示される画像を観ることができる。また、着座部４５には、滑り止め４４が装着されているので、当該着座部４５が載置台Ｓ上で滑りにくく、着座部４５が滑って液晶テレビジョン１が倒れるといった事態が起こりにくい。
【００２４】
而して、本発明に従い、壁面取付け装置１１は、図４および図５に示すように、壁面に取付けられる固定ヒンジ５と、表示装置本体１０（図２参照）が取り付けられる可動ヒンジ６と、可動ヒンジ６を固定ヒンジ５に回動可能に軸支する回動軸７とから構成されている。表示装置本体１０は、例えば、上述したロッド状の支持脚本体４３にスライド可能に装着された装着部材８を有する自立可能な支持脚４を備えている。
【００２５】
固定ヒンジ５は、図６乃至図８に示すように、例えば、壁面Ｋに固着する壁面取付け部５１と、壁面Ｋに対して直角に設けられた一対のホルダ面５２ａ、５２ｂにより形成され、可動ヒンジ６が嵌装されるホルダ部５２とから構成されている。壁面取付け部５１には、取付け孔５３が設けられ、例えば、ネジなどの取り付け部材を用いて壁面Ｋに取付けるように構成されている。また、ホルダ面５２ａ、５２ｂには、回動軸７を挿通する軸孔５４と、一定間隔で扇状に配設された複数個の係止孔５５と、固定ヒンジ５の移動方向Ｙの最外周に位置する係止孔５６が形成されている。係止孔５５は、図８に示すように、例えば、可動ヒンジ６の移動方向Ｙに直交する方向Ｌ１が、これと直交する方向Ｌ２（移動方向Ｙ）に比べて長い長形状に形成されている。また、係止孔５６は、後述する突起６４が複数個同時に配設できる大きさ、即ち、移動方向Ｙに長い長形状に形成されている。
【００２６】
また、可動ヒンジ６は、図９乃至図１１に示すように、例えば、ホルダ面５２ａ、５２ｂに対向する摺動面６１と、装着部材８を装着する装着部６２とから構成されている。摺動面６１には、軸孔５４に対応する位置に回動軸７が貫通する軸貫通孔６３と、係止孔５５に係合するように扇状に複数個の突起６４とが形成されている。この突起６４の内、少なくとも複数個は、最外周にある係止孔５６以外の係止孔５５に個々に配設されるように形成してある。この突起６４の形状は、例えば、上述の長形状の係止孔５５に係合する長形状に形成する。このように、突起６４の形状を係止孔５５に係合する長形状に形成すると、係止孔５５と突起６４との接触面積を、大きくすることができる。この結果、突起６４の高さ方向の大きさｔ（図１１参照）を、殊更大きくすることなく、所定角度でより安定した状態を維持することができ、都合がよい。突起６４の高さ方向の大きさｔは、例えば、０．２〜２ｍｍ程度、好ましくは、０．３〜１ｍｍの範囲に設定すると、操作性を損なうことなく、より安定した状態を維持することができる。また、図１１に示すように、突起６４の角部分にテーパ部６５を形成しておくと、角度調整時の操作がよりスムーズとなるので、好ましい。
【００２７】
また、ヒンジ機構の枢軸として機能する回動軸７は、可動ヒンジ６を、固定ヒンジ５に固定する固定機能を更に備えている。即ち、図４および図５に示すように、表示装置本体１０が所望の角度になるように、突起６４を係止孔５５または係止孔５５と係止孔５６に係合した状態で、回動軸７により、可動ヒンジ６を固定ヒンジ５に固定できるように、回動軸７は、少なくとも一方の端部にネジ部７１を有し、当該ネジ部７１に蝶ナット７２を螺合するように構成されている。この構成により、回動軸７は、固定機能を奏し、可動ヒンジ６を、固定ヒンジ５に固定することができる。
【００２８】
また、装着部材８は、図１２乃至図１４に示すように、スライド部８１と、挿入部８２とから構成されている。スライド部８１には、例えば、ロッド状の支持脚本体４３に挿通するためのスライド孔８３と、可動ヒンジ６に当接することにより支持される当接面８４が形成されている。挿入部８２には、例えば、当該挿入部８２を可動ヒンジ６の装着部６２に装着したとき、容易に抜けないように抜け止め部８５と、挿入時に抜け止め部８５が妨げとならないようにするための割り溝８６が形成されている。このように、抜け止め部８５を形成して、装着部材８が可動ヒンジ６から抜けないように装着をすると、仮に、下方から突き上げるような衝撃が加わっても、装着部材は、抜け止め部８５により可動ヒンジ６から、簡単に抜けることがなく、表示装置本体１０が落下するのを防止することができ、都合がよい。
【００２９】
以上の構成によれば、例えば、図４に示すように、表示装置本体１０が壁面Ｋに対して略平行、即ち、垂直に取り付けられている状態から、図５に示すように、表示装置本体１０を下方に向けるように角度調整する場合、先ず、表示装置本体１０を上方にスライドさせ、回動軸７の蝶ネジ７２を緩める。次いで、可動ヒンジ６を下方にスライドさせて表示装置本体１０が所望の角度となるように、突起６４を係止孔５５または係止孔５５と係止孔５６に係合させる。その後、回動軸７の蝶ネジ７２を締め付け固定すればよい。なお、同図では、理解を容易にするため、突起６４を黒く塗りつぶして表示してある。
【００３０】
以上の構成による本実施形態では、可動ヒンジ６に取付けられた表示装置本体１０が所望の角度になるように、可動ヒンジ６に形成された複数個の突起６４を、固定ヒンジ５に形成された複数個の係止孔５５または係止孔５５と係止孔５６に係合した状態で、可動ヒンジ６を、固定ヒンジ５に回動軸７により固定すればよい。従って、可動ヒンジ６に形成した突起６４の大きさを小さくしても、所定角度で安定した状態を維持することができるので、角度調整時の操作性が向上する。更に、最外周の係止孔５６は、複数個の突起６４に対応しているので、より高角度、或いは、より細かいピッチで調整するようにしても、係止孔５５の数を増加させる必要がない。
【００３１】
また、回動軸７は、固定機能を備えているので、別途、ピンなどを用いる必要がない他、可動ヒンジ６を固定ヒンジ５に確実に固定することができる。しかも、ヒンジ機構の枢軸として機能する回動軸７が、固定機能を備えているので、殊更、固定のための部品を準備する必要がなく、部品点数の削減を図ることができ、その構成は、極めて簡単である。
【００３２】
また、表示装置本体１０は、ロッド状の支持脚本体４３に装着された装着部材８を有する自立可能な支持脚４を備えているので、使用者は、薄型表示装置である液晶テレビジョン１の設置状況に応じて、この種装置を自立型、或いは、壁面取付け型として使用することが可能となり、都合がよい。
【００３３】
また、回動軸７は、少なくとも一方の端部にネジ部７１を有し、当該ネジ部７１に蝶ナット７２を螺合することにより固定機能を奏するように形成されているので、可動ヒンジ６を、固定ヒンジ５に固定する際、特別にドライバーなどの工具を用いることなく、簡単な操作により、表示装置本体を所望の角度に保持することができ、都合がよい。
【００３４】
また、装着部材８は、ロッド状の支持脚本体４３にスライド可能に装着されているので、可動ヒンジ６に取付けられた表示装置本体１０を所望の角度に調整する際、表示装置本体１０を上方にスライドさせた状態で調整作業を行うことができるので、調整作業が行い易い。
【００３５】
更に、係止孔５５は、可動ヒンジ６の移動方向Ｙに直交する方向が長い長形状に形成し、かつ、突起６４の形状を、長形状の係止孔５５に係合する長形状に形成しているので、係止孔５５と突起６４との接触面積を、より大きくすることができる。従って、突起６４の高さ方向の大きさを、殊更大きくすることなく、所定角度でより安定した状態を維持することができ、都合がよい。
【００３６】
（第２実施形態）
次に、本発明の第２実施形態について図１５乃至図１８を参照しながら説明する。図１５は、本発明の第２実施形態に係る壁面取付け装置の固定ヒンジの一例を示す側面図、図１６は、図１５に示す固定ヒンジに嵌装される可動ヒンジの一例を示す正面図である。図１７は、本発明の第２実施形態に係る壁面取付け装置の他の例を示す側面図、図１８は、図１７の固定ヒンジの係止孔の形状を拡大して示す拡大図である。なお、図１５乃至図１８において、上述した図１乃至図１４と同じ符号を付した部分は、略同一のものを示すため、ここでは詳細な説明は省略する。以下、上述した実施形態との相違点を中心に説明する。
【００３７】
本実施形態では、図１５および図１６に示す様に、壁面取付け装置１１は、例えば、固定ヒンジ５のホルダ面５２ｂ（５２ａ）に、一定間隔で扇状に配設される複数個の係止孔５５の内、可動ヒンジ６の移動方向Ｙの最外周に位置する以外の係止孔５５の形状が、円形状に形成されている。また、固定ヒンジ５の移動方向Ｙの最外周に位置する係止孔５６は、突起６４が複数個同時に配設できる大きさ、即ち、移動方向Ｙに長い長形状に形成されている。また、可動ヒンジ６の摺動面６１の突起６４の形状は、係止孔５５に係合する大きさの円形状に形成され、かつ、突起６４の内、少なくとも複数個は、最外周にある係止孔５６以外の係止孔５５に個々に配設されるように形成してある。
【００３８】
また、図１７に示す例では、固定ヒンジ５のホルダ面５２ｂ（５２ａ）に、一定間隔で扇状に配設される複数個の係止孔５５の内、可動ヒンジ６の移動方向Ｙの最外周に位置する以外の係止孔５５の形状は、図１８に示すように、楕円形状に形成するとともに、上述の例と同様に、固定ヒンジ５の移動方向Ｙの最外周に位置する係止孔５６は、突起６４が複数個同時に配設できる大きさ、即ち、移動方向Ｙに長い長形状に形成されている。また、可動ヒンジ６の摺動面６１の突起６４の形状も、係止孔５５に係合する大きさの楕円形状に形成され、かつ、突起６４の内、少なくとも複数個は、最外周にある係止孔５６以外の係止孔５５に個々に配設されるように形成してある。なお、同図では、理解を容易にするため、突起６４を黒く塗りつぶして表示してある。
【００３９】
以上の構成による本実施形態よれば、上述した実施形態と同様の作用効果を奏する他、最外周の係止孔５６は、複数個の突起６４に対応しているので、より高角度、或いは、より細かいピッチで調整するようにしても、係止孔５５の数を増加させる必要がなく、都合がよい。しかも、その構成は、極めて単純であり、都合がよい。
【００４０】
なお、上述した各実施形態は、本発明の好適な実施例であるが、本発明はこれに限定されるものではなく、本発明の要旨を逸脱しない範囲において、種々変形実施可能である。
【００４１】
例えば、上述の実施形態では、係止孔５５および突起６４の形状を長円形、丸および楕円形としたが、矩形状に形成しても良いのは、勿論である。
【００４２】
また、上述の実施形態では、表示手段３として液晶モジュールを用いた液晶テレビジョンンについて詳述したが、例えば、プラズマディスプレイを用いたプラズマテレビジョンからなる壁面取付け機能を備えた薄型表示装置に本発明を適用しても良いのは、勿論である。
【００４３】
更に、上述の実施形態では、薄型表示装置として自立機能を備えた場合について詳述したが、例えば、壁面取付け専用の壁面取付け機能を備えた薄型表示装置に本発明を適用しても良いのは、勿論である。
【図面の簡単な説明】
【００４４】
【図１】本発明の第１実施形態に係る壁面取付け機能を備えた薄型表示装置である液晶テレビジョンの構成を示す概略斜視図である。
【図２】図１に液晶テレビジョンを自立型として使用した状態を示す概略側面図である。
【図３】支持脚の一例を示す正面図である。
【図４】壁面取付け装置の一例を示し、正立の状態を示す側面図である。
【図５】図４の壁面取付け装置が下向きの状態を示す側面図である。
【図６】固定ヒンジの一例を示す正面図である。
【図７】図６に示す固定ヒンジの側面図である。
【図８】図７の係止孔の形状を拡大して示す拡大図である。
【図９】可動ヒンジの一例を示す正面図である。
【図１０】図９に示す可動ヒンジの上面図である。
【図１１】図１０の突起部分を拡大して示す要部拡大図である。
【図１２】装着部材の一例を示す正面図である。
【図１３】図１２に示す装着部材の上面図である。
【図１４】図１２に示す装着部材の側面図である。
【図１５】本発明の第２実施形態に係る壁面取付け装置の固定ヒンジの一例を示す側面図である。
【図１６】図１５に示す固定ヒンジに嵌装される可動ヒンジの一例を示す正面図である。
【図１７】本発明の第２実施形態に係る壁面取付け装置の他の例を示す側面図である。
【図１８】図１７に示す固定ヒンジの係止孔の形状を拡大して示す拡大図である。
【符号の説明】
【００４５】
Ｋ  壁面
Ｙ  移動方向
１  壁面取付け機能を備えた薄型表示装置（液晶テレビジョン）
３  表示手段（液晶モジュール）
４  支持脚
４３  支持脚本体
５  固定ヒンジ
５１  壁面取付け部
５２  ホルダ部
５２ａ  ホルダ面
５２ｂ  ホルダ面
５４  軸孔
５５  系止孔
５６  系止孔
６  可動ヒンジ
６１  摺動面
６２  装着部
６３  軸貫通孔
６４  突起
７  回動軸
７１  ネジ部
７２  蝶ナット
８  装着部材
８５  抜け止め部
１０  表示装置本体
１１  壁面取付け装置
【図１】
0004424328.tif 000002
【図２】
0004424328.tif 000003
【図３】
0004424328.tif 000004
【図４】
0004424328.tif 000005
【図５】
0004424328.tif 000006
【図６】
0004424328.tif 000007
【図７】
0004424328.tif 000008
【図８】
0004424328.tif 000009
【図９】
0004424328.tif 000010
【図１０】
0004424328.tif 000011
【図１１】
0004424328.tif 000012
【図１２】
0004424328.tif 000013
【図１３】
0004424328.tif 000014
【図１４】
0004424328.tif 000015
【図１５】
0004424328.tif 000016
【図１６】
0004424328.tif 000017
【図１７】
0004424328.tif 000018
【図１８】
0004424328.tif 000019